(57)【要約】【課題】扉体の大きさが異なる場合でも、開閉時における扉体からの作用トルクを一定にして、部品点数の削減を図ることができる跳ね上げ門扉を提供すること。【解決手段】一対の支柱２と、この支柱２に基端側が回動自在に軸支された支持アーム３，４と、支持アーム３，４の先端側に取り付けられた扉体５とを備え、扉体には、駆動部２Ａに対して所定位置となるように扉体５の重心位置Ｇを調節する重心位置調節錘と、扉体５の全体重量を所定重量に調節する重量調節錘とが設けられているので、扉体５の大きさが異なる場合でも、開閉時における扉体５から駆動部２Ａに作用するトルクを一定にすることができ、大きさや重量の異なる扉体５ごとに駆動部２Ａや支柱２を用意する必要がなく、部品の共通化および部品点数の削減を図ることができる。【選択図】  図１
2004270310.tif 000002
【特許請求の範囲】
【請求項１】
対向して立設された一対の支柱と、これら各々の支柱に基端側が水平な軸線回りに回動自在に軸支された支持アームと、この支持アームの先端側に取り付けられ、直立した閉状態および前記支柱上方で略水平になる開状態の間を回動可能に設けられた扉体とを備え、
前記扉体には、前記支持アームの基端側が軸支された位置に対して所定位置となるように当該扉体の重心位置を調節する重心位置調節錘と、当該扉体の全体重量を所定重量に調節する重量調節錘とが設けられており、
これらの重心位置調節錘、および重量調節錘の重量を調節することで、前記扉体の大きさや重量に関わらず、前記扉体から前記支柱に作用するトルクを所定値に調整可能に構成されている跳ね上げ門扉。
【請求項２】
前記扉体は、上框、下框、および左右の縦框を備えて構成されており、前記重心位置調節錘が前記上框または下框に設けられ、前記重量調節錘が前記縦框に設けられた請求項１に記載の跳ね上げ門扉。
【発明の詳細な説明】
【０００１】
【発明の属する技術分野】
本発明は、跳ね上げ門扉に関する。
【０００２】
【背景技術】
開状態における扉体のバランスを保ちやすくするために、扉体の一部に錘を設けた跳ね上げ門扉が提案されている（例えば、特許文献１参照）。特許文献１に記載の跳ね上げ門扉では、扉体の上框や、開状態で支柱よりも後方側となる縦框に錘を取り付けることで、開状態において、錘を含めた扉体の重心が支持アームの回動中心のほぼ真上に位置するようになっているため、開状態で扉体がバランスを保ちやすくなっている。
【０００３】
【特許文献１】
実開昭６２−８９５００号公報
【０００４】
【発明が解決しようとする課題】
しかしながら、特許文献１に記載の跳ね上げ門扉では、開状態における扉体のバランスを保つ目的で錘を取り付けるため、大きさ（例えば、高さ寸法）や重量が異なる扉体同士では、取り付けられる錘の重量も異なってしまい、大きさの異なる扉体ごとに全体重量が大きく異なる。このため、開閉時において支柱側の回動軸部分である駆動部に作用するトルクも扉体ごとに大きく異なってしまい、これらの異なる作用トルクに応じて、駆動部や支柱を用意しなければならず部品点数が増大するという問題がある。
【０００５】
本発明の目的は、扉体の大きさや重量が異なる場合でも、開閉時における扉体からの作用トルクを一定にして、部品点数の削減を図ることができる跳ね上げ門扉を提供することにある。
【０００６】
【課題を解決するための手段】
本発明の跳ね上げ門扉は、対向して立設された一対の支柱と、これら各々の支柱に基端側が水平な軸線回りに回動自在に軸支された支持アームと、この支持アームの先端側に取り付けられ、直立した閉状態および前記支柱上方で略水平になる開状態の間を回動可能に設けられた扉体とを備え、前記扉体には、前記支持アームの基端側が軸支された位置に対して所定位置となるように当該扉体の重心位置を調節する重心位置調節錘と、当該扉体の全体重量を所定重量に調節する重量調節錘とが設けられており、これらの重心位置調節錘、および重量調節錘の重量を調節することで、前記扉体の大きさや重量に関わらず、前記扉体から前記支柱に作用するトルクを所定値に調整可能に構成されていることを特徴とする。
【０００７】
このような本発明によれば、扉体に重心位置調節錘を設けることで、支持アームの基端側が軸支された位置（駆動部）に対する扉体の重心位置を所定位置に調節することができるとともに、重量調節錘を設けることで、扉体の全体重量を所定重量に調節することができる。従って、扉体の大きさや重量が異なる場合でも、開閉時における扉体から駆動部に作用するトルクを一定にすることができ、大きさの異なる扉体ごとに駆動部や支柱を用意する必要がなく、部品の共通化および部品点数の削減を図ることができる。さらに、駆動部や支柱を共通化できるので、跳ね上げ門扉設置後に扉体を交換する必要が生じた場合であっても、扉体のみを交換すればよく、支柱等を交換する必要がないので、交換費用を節約できる。
また、扉体の全体重量や重心位置を調節することで、扉体自体の大きさや重さが異なる場合でも、開閉操作の操作感を統一でき、操作性を良好にすることができる。
【０００８】
また、本発明の跳ね上げ門扉では、前記扉体は、上框、下框、および左右の縦框を備えて構成されており、前記重心位置調節錘が前記上框または下框に設けられ、前記重量調節錘が前記縦框に設けられたことを特徴とする。
このような構成では、重心位置調節錘を扉体自体の重心位置である扉体の高さ方向略中間位置から距離の離れた上框または下框に設けることで、重心位置調節錘の重量をさほど大きくすることなく、扉体の重心位置を効率よく調節することができる。また、重量調節錘を縦框に設ける、すなわち、扉体自体の重心位置である扉体の高さ方向略中間位置に近づけて重量調節錘を設けることで、扉体全体の重心位置をさほど変動させることなく、扉体全体の重量を調節することができる。
【０００９】
【発明の実施の形態】
以下、本発明の実施形態を図１ないし図６に基づいて説明する。
図１は、跳ね上げ門扉１の開閉操作時における回動動作を示す側面図である。図２ないし図４には、それぞれ跳ね上げ門扉１を構成する扉体５が示されており、図２は、扉体５の正面図、図３は、図２に矢視ＩＩＩ−ＩＩＩ線で示す縦断面図、図４は、図３に矢視ＩＶ−ＩＶ線で示す断面図である。
【００１０】
図１ないし図４において、跳ね上げ門扉１は、例えば、住宅等に設けられるカーポートと前面道路とを仕切るためのものある。この跳ね上げ門扉１は、地中に形成された図示しない基礎により支持され、上方に向かって片持ち状に立設された一対の支柱２と、この支柱２に基端側が回動自在に支持された２本の支持アーム３，４と、これらの支持アーム３，４の先端側に取り付けられた扉体５とを備えて構成されている。そして、跳ね上げ門扉１は、図１に示すように、人力、または電動方式による回動操作によって、扉体５が直立した閉状態と、扉体５が支柱２の上方で略水平になる開状態との間を、扉体５が回動して開閉できるようになっている。
【００１１】
支柱２および支持アーム３，４は、アルミ製の押出形材から形成されており、支持アーム３，４は、それらの基端側が一体に連結されるとともに、支柱２に駆動部２Ａを介して水平な軸線回りに回動自在に軸支されている。すなわち、支持アーム３，４は、駆動部２Ａを中心として、垂直面に沿った上下方向に回動可能となっている。駆動部２Ａは、支持アーム３，４に固定された図示しない回動軸と、支柱２に固定された図示しない軸受けとを備え、この軸受けに適宜なベアリング等を介して回動軸が軸支されている。また、駆動部２Ａには、扉体５の回動を補助するスプリングや、回動範囲を規制するストッパ等が適宜設けられている。
支持アーム３は駆動部２Ａから略水平に、支持アーム４は駆動部２Ａから斜め下方に、それぞれ図１、２中、左側に向かって延び、これら支持アーム３，４の先端側に扉体５が取り付けられている。
【００１２】
扉体５は、図２に示すように、各々アルミ製の押出形材からなる上框６、下框７、および左右一対の縦框８と、これらの上框６、下框７、および縦框８を四周框組みした内側に取り付けられた縦格子９とを備えて構成されている。この扉体５の間口方向の幅寸法は、一対の支柱２間（カーポートの間口寸法）に対応したものとなっている。そして、縦框８に、支持アーム３，４が固定されている。
また、上框６の中空内部には、重心位置調節錘としてのバランサ１０が固定され、縦框８の中空内部には、重量調節錘としてのウエイト２０が固定されている。
【００１３】
バランサ１０は、上框６に沿って延びる長尺のアルミ製押出形材であり、図３に示すように、下辺部１１、上辺部１２と、これら下辺部１１および上辺部１２を連結する鉛直部１３とを備えて断面略Ｈ字形に形成されている。そして、図３、４に示すように、縦框８に内蔵された連結部材８Ａを貫通するボルト８Ｂが、バランサ１０の下辺部１１に螺合することで、上框６、縦框８、およびバランサ１０が一体に結合されている。すなわち、通常、縦框８に内蔵された連結部材８Ａと、上框６に内蔵された裏板とを結合することで、上框６と縦框８とが固定されるのであるが、本実施形態では、バランサ１０の下辺部１１が裏板を兼用していることとなっている。また、バランサ１０の下辺部１１および上辺部１２と鉛直部１３との交差部分には、図３に示すように、断面円弧状のビスホール１４が形成されており、下側のビスホール１４に上框６の端部を覆う小口キャップ６Ａがビス止めされている。
【００１４】
ウエイト２０は、縦框８の高さ方向略中間位置に固定された長さ寸法が異なる２つの鋼製フラットバーからなり、図４に示すように、縦框８の内部に形成された仕切板８Ｃにビス２１で固定されている。これらのウエイト２０は、扉体５の組み立て後において、縦框８の端面に着脱自在に係合された端面カバー８Ｄを取り外し、ビス２１を緩めることで、交換可能になっている。
なお、ウエイト２０は、鋼製に限らず、アルミ製やその他の金属製でもよい。
【００１５】
以上の構成を備える跳ね上げ門扉１において、扉体５の重心位置および全体重量を調節する方法について以下に説明する。
先ず、扉体５の所定重量としてのバランサ１０およびウエイト２０を含んだ調節後の全体重量を設定する。この調節後の全体重量は、例えば、製品群として種々の高さ寸法や間口寸法、格子のデザイン等を有する扉体５の中で、最も重い扉体５を基準にして、この最も重い重量と等しい重量あるいは若干大きい重量に設定される。
次に、扉体５の重心位置Ｇが所定位置となるようにバランサ１０およびウエイト２０の重量配分を調節する。扉体５の重心位置Ｇの所定位置は、例えば、製品群の中で最も重心位置が高い扉体５を基準にした場合には、バランサ１０を上框６に取り付けることで他の扉体５の重心位置が高くなり、一方、製品群の中で最も重心位置が低い扉体５を基準にした場合には、バランサ１０を下框７に取り付けることで他の扉体５の重心位置が低くなる。また、中間的な高さ位置を所定位置として設定することもでき、その際には、扉体５自体の重心位置に応じて上框６または下框７のいずれかにバランサ１０を取り付ければよい。
【００１６】
以上のように設定された扉体５の全体重量および重心Ｇ位置から、バランサ１０およびウエイト２０の重量を決定する。具体的には、設定された扉体５の全体重量から扉体５自体の重量を差し引いた重量が、バランサ１０およびウエイト２０の合計重量となるので、この合計重量になるバランサ１０およびウエイト２０の組み合わせを選択する。このバランサ１０およびウエイト２０の組み合わせの中から、設定された重心位置Ｇとなるように、バランサ１０およびウエイト２０の各々の重量を決定する。
次に、決定されたバランサ１０およびウエイト２０の重量から、バランサ１０の上框６に沿った長さ寸法や断面寸法を決定するとともに、ウエイト２０の数や縦框８に沿った長さ寸法や断面寸法を決定する。
【００１７】
このような本実施形態によれば、次のような効果がある。
（１）  扉体５にバランサ１０およびウエイト２０を設けたことで、駆動部２Ａに対する扉体５の重心位置Ｇおよび全体重量を調節することができるので、扉体５の大きさや重量が異なる場合でも、開閉時における扉体５から駆動部２Ａに作用するトルクを一定にすることができ、大きさの異なる扉体５ごとに駆動部２Ａや支柱２、支持アーム３，４を用意する必要がなく、部品の共通化および部品点数の削減を図ることができる。
【００１８】
（２）  さらに、駆動部２Ａや支柱２、支持アーム３，４を共通化できるので、跳ね上げ門扉１設置後に扉体５を交換する必要が生じた場合であっても、扉体５のみを交換すればよく、支柱２等を交換する必要がないので、交換費用を節約できる。
【００１９】
（３）  また、扉体５の全体重量や重心位置Ｇを調節することで、扉体５自体の大きさや重さが異なる場合でも、開閉操作の操作感を統一でき、操作性を良好にすることができる。
【００２０】
（４）  さらに、バランサ１０を上框６に設ける、すなわち、扉体５自体の重心位置である扉体の高さ方向略中間位置から距離の離れた箇所に設けることで、バランサ１０の重量をさほど大きくすることなく、扉体５の重心位置Ｇを効率よく調節することができる。
【００２１】
（５）  また、ウエイト２０を縦框８に設ける、すなわち、扉体５自体の重心位置である扉体の高さ方向略中間位置に近づけてウエイト２０を設けることで、扉体５全体の重心位置Ｇをさほど変動させることなく、扉体５の全体重量を調節することができる。
【００２２】
（６）  また、バランサ１０の下辺部１１が、上框６と縦框８とを固定するための裏板を兼用していることで、さらに部品点数を削減することができる。
【００２３】
（７）  さらに、バランサ１０のビスホール１４に上框６の端部を覆う小口キャップ６Ａがビス止めできるようになっているので、この点でも部品点数の削減を図ることができる。
【００２４】
（８）  また、ウエイト２０が、縦框８の端面カバー８Ｄを取り外し、ビス２１を緩めることで、交換可能になっているので、跳ね上げ門扉１を設置した後であっても、必要に応じてウエイト２０を交換して、重量を調節することにより、より開閉操作性を向上させることができる。
【００２５】
なお、本発明を実施するための最良の構成、方法などは、以上の記載で開示されているが、本発明は、これに限定されるものではない。
すなわち、本発明は、主に特定の実施の形態に関して特に図示され、かつ、説明されているが、以上述べた実施の形態に対し、本発明の技術的思想および目的の範囲から逸脱することなく、形状、材質、数量、その他の詳細な構成において、当業者が様々な変形を加えることができる。
また、本発明に係る跳ね上げ門扉１を形成するための支柱２や支持アーム３，４、扉体５の形状や材質は、その実施にあたって任意に決められてよく、前記実施形態で説明した形状や材質に限定されない。
【００２６】
また、前述の実施形態では、バランサ１０を上框６に設けたが、これに限らず、重心位置を下げる方向で調節する場合には下框に設けてもよく、また、縦框や縦格子の上端側や下端側に設けてもよい。
さらに、前述の実施形態では、ウエイト２０を縦框８に設けたが、これに限らず、上框や下框、縦格子に設けてもよい。この際、ウエイトおよびバランサを同一部材から一体に形成してもよい。
また、前述の実施形態では、バランサ１０およびウエイト２０を上框６および縦框８の中空内部に設けたが、これに限らず、扉体の外側に露出させて取り付けてもよい。ただし、上框や縦框に内蔵することで、跳ね上げ門扉の外観を良好にすることができる。
【００２７】
また、前述の実施形態では、跳ね上げ門扉１を住宅のカーポートに設置したが、これに限らず、店舗や事務所等の施設に設置してもよく、カーポート以外の自転車置き場等に設置してもよい。
【００２８】
【発明の効果】
以上に述べたように、本発明の跳ね上げ門扉によれば、扉体の大きさや重量が異なる場合でも、開閉時における扉体からの作用トルクを一定にして、部品点数の削減を図ることができるという効果がある。
【図面の簡単な説明】
【図１】本発明の実施形態に係る跳ね上げ門扉の開閉操作時における回動動作を示す側面図である。
【図２】前記跳ね上げ門扉を構成する扉体を示す正面図である。
【図３】前記扉体の一部を示す縦断面図である。
【図４】前記扉体の一部を示す断面図である。
【符号の説明】
２…支柱、３，４…支持アーム、５…扉体、６…上框、７…下框、８…縦框、１０…重心位置調節錘であるバランサ、２０…重量調節錘であるウエイト。
【図１】
2004270310.tif 000003
【図２】
2004270310.tif 000004
【図３】
2004270310.tif 000005
【図４】
2004270310.tif 000006